(57)【要約】      （修正有）【課題】意匠性を向上させ光漏れを防止しながらも、スクリーン下端のバーを水平状態に保つブラインドを提供する。【解決手段】第１スクリーン２は、複数のプリーツを有し、一端が第１巻取ドラムに連結され他端が中間バー３に連結された調光コード４が挿通されることで昇降可能に支持される。第２スクリーン５は、畳み込み可能なスクリーンであって、一端が上記第２巻取ドラムに連結され他端がボトムレールに連結された昇降コード７が第１スクリーン２及び中間バー３を介して挿通されることで第１スクリーン２と連結され昇降可能に支持される。第１スクリーン２は、背面側の各プリーツの頂点部に形成された突出部２１を挿通する第１挿通孔２５を有し、第２スクリーン５は、スクリーンを挿通する第２挿通孔５５を有する。昇降コード７は、第１巻取ドラムと第２巻取ドラムの中間位置の直下から垂下され、第１挿通孔２５及び第２挿通孔５５を挿通する。【選択図】図４
2020023874.tif 000002
【特許請求の範囲】
【請求項１】
所定面に設置可能なヘッドボックスと、
前記ヘッドボックスから昇降可能に垂下する調光コード及び昇降コードと、
畳み込み可能なスクリーンであって、中間バーに連結された前記調光コードが挿通されることで昇降可能に支持された第１スクリーンと、
畳み込み可能なスクリーンであって、ボトムレールに連結された前記昇降コードが前記中間バーを介して挿通されることで前記第１スクリーンと連結され昇降可能に支持された第２スクリーンと、
を具備し、
前記第１スクリーン又は前記第２スクリーンのうち、少なくとも一方のスクリーンは、背面側の各プリーツの頂点部に形成された突出部を挿通する挿通孔を有し、  前記挿通孔が形成されるスクリーンは、前記中間バー又は前記ボトムレールの前後方向における中心線よりも手前にオフセットされた位置で前記中間バー又はボトムレールと連結され、
前記調光コード及び前記昇降コードは、前記中間バー及び前記ボトムレールの前後方向における中心線近傍に配される
ブラインド。
【請求項２】
所定面に設置可能なヘッドボックスと、
前記ヘッドボックス内に並列して設けられた第１巻取ドラム及び第２巻取ドラムと、
複数のプリーツを有し、一端が前記第１巻取ドラムに連結され他端が中間バーに連結された調光コードが挿通されることで昇降可能に支持された第１スクリーンと、
畳み込み可能なスクリーンであって、一端が前記第２巻取ドラムに連結され他端がボトムレールに連結された昇降コードが前記第１スクリーン及び前記中間バーを介して挿通されることで前記第１スクリーンと連結され昇降可能に支持された第２スクリーンと、
を具備し、
前記第１スクリーンは、背面側の各プリーツの頂点部に形成された突出部を挿通する第１挿通孔を有し、
前記第２スクリーンは、前記スクリーンを挿通する第２挿通孔を有し、
前記昇降コードは、前記第１巻取ドラムと前記第２巻取ドラムの並列方向において前記第１巻取ドラムと前記第２巻取ドラムの中間位置の直下から垂下され、前記第１挿通孔及び前記第２挿通孔を挿通する
ブラインド。
【請求項３】
請求項２に記載のブラインドであって、
前記第２スクリーンは、複数の筒状のセルを有し、前記第２挿通孔は、前記各セルを挿通する
ブラインド。
【請求項４】
請求項２または３に記載のブラインドであって、
前記第１挿通孔と前記第２挿通孔とは、前記昇降方向において同一直線上に配置されている
ブラインド。
【請求項５】
請求項２または３に記載のブラインドであって、
前記並列方向における前記第１スクリーンの中心線と、前記並列方向における前記第２スクリーンの中心線とは一致しない
ブラインド。
【請求項６】
請求項４または５に記載のブラインドであって、
前記第１スクリーンは、前記中間バーの前後方向における中心線よりも手前にオフセットされた位置で前記中間バーと連結される
ブラインド。
【請求項７】
所定面に設置可能なヘッドボックスと、
前記ヘッドボックス内に設けられた巻取ドラムと、
複数のプリーツを有し、一端が前記巻取ドラムに連結され他端がボトムレールに連結された昇降コードによって昇降可能に支持されたスクリーンと
を具備し、
前記スクリーンは、背面側の各プリーツの頂点部に、挿通孔が形成された突出部を有し、
前記昇降コードは、前記スクリーンの前後方向において前記巻取ドラムの中心位置の直下から垂下され、前記挿通孔を挿通する
ブラインド。
【発明の詳細な説明】
【技術分野】
【０００１】
本発明は、ブラインドに関する。
【背景技術】
【０００２】
従来から、蛇腹状に折り畳み可能なスクリーンを昇降することで採光量を調整可能なプリーツスクリーンと呼ばれるブラインドが存在する。
【０００３】
下記特許文献１には、ヘッドボックスから第１昇降コードを介して中間レールを吊下支持するとともに、第２昇降コードを介してボトムレールを吊下支持し、前記ヘッドボックスと前記中間レールとの間に上部スクリーンを支持するとともに、前記中間レールと前記ボトムレールとの間に下部スクリーンを支持するプリーツスクリーンであって、前記第１昇降コードの下端が、前記中間レールの形状で定まる重心を通る重心軸近傍の位置で、前記中間レールに取着されていることを特徴とするプリーツスクリーンが開示されている。
【０００４】
また上記特許文献１には、上部スクリーンは、上下方向中間部に折り目が設けられた生地の上下両端縁に接合片がそれぞれ設けられ、上部スクリーンの各接合片には丸孔又は長孔等で形成される挿通孔がそれぞれ設けられ、その挿通孔にはヘッドボックスから垂下される第１昇降コード及び第２昇降コードが挿通されることも開示されている。
【先行技術文献】
【特許文献】
【０００５】
【特許文献１】特開２０１５−２１８４２９号公報
【発明の概要】
【発明が解決しようとする課題】
【０００６】
しかしながら、上記特許文献１に記載の技術においては、プリーツスクリーンに形成される挿通孔がスクリーン正面から露出しないことで、意匠性を向上させるとともに光漏れを防止することはできるものの、昇降コードがスクリーンの後方に偏った位置から垂下されているため、中間レールをその短手方向において水平に維持するために、中間レールの重心軸近傍の位置で昇降コードの下端が中間レールに取着されるように、取着位置を調整する必要があった。
【０００７】
以上のような事情に鑑み、本発明の目的は、意匠性を向上させ光漏れを防止しながらも、スクリーン下端のバーをその短手方向において容易に水平状態に保つことが可能なブラインドを提供することにある。
【課題を解決するための手段】
【０００８】
上記目的を達成するため、本発明の一形態に係るブラインドは、ヘッドボックスと、第１巻取ドラム及び第２巻取ドラムと、第１スクリーンと、第２スクリーンとを有する。上記ヘッドボックスは、所定面に設置可能であり、上記第１巻取ドラム及び第２巻取ドラムは、当該ヘッドボックス内に並列して設けられる。上記第１スクリーンは、複数のプリーツを有し、一端が上記第１巻取ドラムに連結され他端が中間バーに連結された調光コードが挿通されることで昇降可能に支持される。上記第２スクリーンは、畳み込み可能なスクリーンであって、一端が上記第２巻取ドラムに連結され他端がボトムレールに連結された昇降コードが上記第１スクリーン及び上記中間バーを介して挿通されることで上記第１スクリーンと連結され昇降可能に支持される。上記第１スクリーンは、背面側の各プリーツの頂点部に形成された突出部を挿通する第１挿通孔を有し、上記第２スクリーンは、上記スクリーンを挿通する第２挿通孔を有する。上記昇降コードは、上記第１巻取ドラムと上記第２巻取ドラムの並列方向において上記第１巻取ドラムと上記第２巻取ドラムの中間位置の直下から垂下され、上記第１挿通孔及び上記第２挿通孔を挿通する。
【０００９】
これによりブラインドは、意匠性を向上させ光漏れを防止しながらも、第１スクリーン下端の中間バー及び第２スクリーン下端のボトムレールをそれらの短手方向において容易に水平状態に保つことができる。ここで突出部は、プリーツの頂点から所定長（例えば１ｃｍ）分の山部を重ねて溶着等により接合したものであってもよいし、頂点部に突出片を別途接合したものであってもよい。
【００１０】
上記第２スクリーンは、複数の筒状のセルを有し、上記第２挿通孔は、上記各セルを挿通するものとしてもよい。
【００１１】
これにより第２スクリーンを複数の筒状セルを有するハニカムスクリーンとすることで、第１スクリーンであるプリーツスクリーンと上下に組み合わせながら、当該昇降コードへの負荷を軽減して操作荷重を軽減し耐久性を高め、さらには第１及び第２スクリーンいずれからも光漏れを防止することができる。
【００１２】
上記第１挿通孔と上記第２挿通孔とは、上記昇降方向において同一直線上に配置されていてもよい。
【００１３】
これにより昇降コードを一直線状に垂下させることができ、当該昇降コードへの負荷を軽減して操作荷重を軽減し耐久性を高めることができる。また、上記昇降コードは、第１スクリーン背面側の各プリーツの頂点部に形成された突出部と、第２スクリーンの各セルとを一直線状に挿通することで、第１スクリーンのプリーツの開き量と第２スクリーンのセルの開き量をほぼ一致させることが可能となり、意匠性を向上することができる。
【００１４】
上記並列方向における上記第１スクリーンの中心線と、上記並列方向における上記第２スクリーンの中心線とは一致しなくてもよい。
【００１５】
これにより、第１スクリーンと第２スクリーンの前後方向における各中心線が一致しないことで、両スクリーンの各挿通孔の位置を前後方向において一致させることが可能となり、昇降コードへの負荷を軽減して操作荷重を軽減し耐久性を高めることができる。
【００１６】
上記第１スクリーンは、上記中間バーの前後方向における中心線よりも手前にオフセットされた位置で上記中間バーと連結されてもよい。
【００１７】
これにより、第１スクリーンの背面側に形成された第１挿通孔を中間バーの前後方向のほぼ中心位置における鉛直線上に設けることが可能となり、第１挿通孔と第２挿通孔とを鉛直方向において一直線上に配置することが可能となる。
【００１８】
本発明の他の形態に係るブラインドは、ヘッドボックスと、巻取ドラムと、スクリーンとを有する。上記ヘッドボックスは所定面に設置可能であり、上記巻取ドラムは上記ヘッドボックス内に設けられる。上記スクリーンは、複数のプリーツを有し、一端が上記巻取ドラムに連結され他端がボトムレールに連結された昇降コードによって、昇降可能に支持される。上記スクリーンは、背面側の各プリーツの頂点部に、挿通孔が形成された突出部を有する。上記昇降コードは、上記スクリーンの前後方向において上記巻取ドラムの中心位置の直下から垂下され、上記挿通孔を挿通する。
【００１９】
これによりブラインドは、意匠性を向上させ光漏れを防止しながらも、スクリーン下端のボトムレールをその短手方向において容易に水平状態に保つことができる。
【００２０】
本発明のまた別の形態に係るブラインドは、所定面に設置可能なヘッドボックスと、上記ヘッドボックスから昇降可能に垂下する調光コード及び昇降コードと、第１スクリーンと、第２スクリーンとを有する。上記第１スクリーンは、畳み込み可能なスクリーンであって、中間バーに連結された上記調光コードが挿通されることで昇降可能に支持される。上記第２スクリーンは、畳み込み可能なスクリーンであって、ボトムレールに連結された上記昇降コードが上記中間バーを介して挿通されることで上記第１スクリーンと連結され昇降可能に支持される。上記第１スクリーン又は上記第２スクリーンのうち、少なくとも一方のスクリーンは、背面側の各プリーツの頂点部に形成された突出部を挿通する挿通孔を有する。上記挿通孔が形成されるスクリーンは、上記中間バー又は上記ボトムレールの前後方向における中心線よりも手前にオフセットされた位置で上記中間バー又はボトムレールと連結される。上記調光コード及び上記昇降コードは、上記中間バー及び上記ボトムレールの前後方向における中心線近傍に配される。
【００２１】
これにより、第１スクリーンと第２スクリーンの少なくとも一方を前後方向の中心線よりも手前にオフセットされた位置に設けながらも、調光コード及び昇降コードを中間バー及びボトムレールの中心線近傍に配すことで、各バーをその短手方向において水平を保つことができ、上下に配置するスクリーンを自由に組み合わせることができる。
【発明の効果】
【００２２】
以上説明したように、本発明によれば、意匠性を向上させ光漏れを防止しながらも、スクリーン下端のバーをその短手方向において容易に水平状態に保つことができる。しかし、当該効果は本発明を限定するものではない。
【図面の簡単な説明】
【００２３】
【図１】本発明の一実施形態に係るブラインドの正面図である。
【図２】図１のブラインドの背面図である。
【図３】上記ブラインドの右側断面図である。
【図４】上記ブラインドの中間バー付近の拡大側断面図である。
【図５】上記ブラインドの第１スクリーンを展開し第２スクリーンを畳み込んだ状態を示した正面図である。
【図６】上記ブラインドの第１スクリーンを畳み込み第２スクリーンを展開した状態を示した正面図である。
【図７】上記ブラインドの第１スクリーンのみ展開した状態、第２スクリーンのみ展開した状態、両スクリーンを畳み込んだ状態をそれぞれ示した右側面図である。
【図８】本発明の他の実施形態に係るブラインドの中間バー付近の拡大右側断面図である。
【図９】本発明の他の実施形態に係るブラインドの右側断面図である。
【図１０】本発明の他の実施形態に係るブラインドの中間バー付近の拡大右側断面図である。
【図１１】本発明の他の実施形態に係るブラインドの中間バー付近の拡大右側断面図である。
【図１２】本発明の他の実施形態に係るブラインドの中間バー付近の拡大右側断面図である。
【図１３】本発明の他の実施形態に係るブラインドの中間バー付近の拡大右側断面図である。
【発明を実施するための形態】
【００２４】
以下、図面を参照しながら、本発明の実施形態を説明する。
【００２５】
［ブラインドの構成］
図１は、本実施形態に係るブラインドの正面図であり、図２は当該ブラインドの背面図である。両図では説明の便宜上、ヘッドボックスの内部が露出して示されているが、実際にはカバーで覆われている。また図３は、当該ブラインドの右側断面図であり、図４は、当該ブラインドの中間バー付近の拡大側断面図である。
【００２６】
これらの図に示すように、本実施形態に係るブラインド１００は、支持部材としてのヘッドボックス１と、当該ヘッドボックス１によって昇降可能に支持される遮蔽材としての第１スクリーン２及び第２スクリーン５とを有する。
【００２７】
上記第１スクリーン２の下端及び第２スクリーン５の上端には、中間バー３が連結されており、上記第２スクリーンの下端には、ボトムレール６が連結されている。
【００２８】
また第１スクリーン２は、同図Ｙ方向に蛇腹状に折り加工された複数のプリーツが畳み込み及び展開可能に形成されたプリーツスクリーンである。当該第１スクリーン２の生地は、例えば光を透過しない遮光性が高い素材又は光を透過可能なシースルー素材等で形成されている。当該第１スクリーン２の畳み込まれたときの前後幅（Ｚ方向の長さ）は例えば３０〜３５ｍｍである。
【００２９】
図３及び図４に示すように、第１スクリーン２の上端はヘッドボックス１に連結されており、第１スクリーン２の下端は第１スクリーン止めプレート１７を介して中間バー３に連結されている。
【００３０】
図３及び図４に示すように、第１スクリーン２の背面側の各プリーツには、突出部２１が形成されている。当該突出部２１は、例えば、各プリーツの頂点部２ａから所定長（例えば５〜１０ｍｍ）分の山部を重ねて溶着等により接合することで形成される。
【００３１】
当該突出部２１には第１挿通孔２５が形成されている。調光コード４及び昇降コード７は、上記ヘッドボックス１から垂下され、当該第１挿通孔２５を挿通している。調光コードの下端は、中間バー３のコードガイド１９を挿通して係止されることで、中間バー３に連結されている。
【００３２】
このように、第１スクリーン２を挿通する昇降コード４及び第１挿通孔２５をスクリーン表面側に露出させないことで、意匠性を向上させ挿通孔からの光漏れを防止することが可能となる。
【００３３】
図３及び図４に示すように、第２スクリーン５は、同図Ｙ方向に断面６角形の複数の筒状のセルが連結されて畳み込み及び展開可能に形成されたハニカムスクリーンである。当該第２スクリーン５の畳み込まれたときの前後幅（Ｚ方向の長さ）は例えば４５ｍｍである。第２スクリーン５の展開時のセルピッチ（Ｙ方向のセルの開き量）は、第１スクリーン２の展開時のプリーツピッチ（Ｙ方向のプリーツの開き量）とほぼ一致している。当該ハニカムスクリーンの生地は、例えば光を透過しない素材で形成されているが、シースルー状の素材で形成されていてもよい。
【００３４】
図３及び図４に示すように、第２スクリーン５の上端は第２スクリーン止めプレート１８を介して中間バー３に連結されており、第２スクリーン５の下端はボトムレール６に連結されている。
【００３５】
第２スクリーン５には、上記ヘッドボックス１から垂下された昇降コード７が挿通されている。
【００３６】
図３及び図４に示すように、第２スクリーン５の各セルの上下方向（各図Ｙ方向）の各端部、かつ、前後方向（各図Ｚ方向）の略中央部には、第２挿通孔５５が形成されている。
【００３７】
図３に示すように、昇降コード７は、調光ドラム９ａと昇降ドラム９ｂの並列方向（Ｚ方向）において当該調光ドラムと９ａと昇降ドラム９ｂの略中間位置の直下から垂下され、上記第１挿通孔２５及び当該第２挿通孔５５を挿通し、その下端がボトムレール６に連結されている。
【００３８】
上記第１スクリーン２は、上記調光コード４の昇降により中間バー３が昇降することで展開可能とされており、上記第２スクリーン５は、上記昇降コード７の昇降によりボトムレール６が昇降することで展開可能とされている。
【００３９】
ヘッドボックス１は、横長直方体形状を有し、ブラケット８を介して建物内部の窓枠の天井面や壁面等の所定面にネジ等により固定される。図１乃至図３に示すように、ヘッドボックス１には、２つの巻取ドラム９（第１巻取ドラムとしての調光ドラム９ａ及び第２巻取ドラムとしての昇降ドラム９ｂ）が設けられている。
【００４０】
調光ドラム９ａ及び昇降ドラム９ｂは、ヘッドボックス１の内部に並列して配置され、それぞれ回転軸１０ａ及び回転軸１０ｂが貫通することによって回転可能に支持される。
【００４１】
調光ドラム９ａには、上記調光コード４の一端が巻取り及び巻解き可能に連結されている。昇降ドラム９ｂには、上記昇降コード７の一端が巻取り及び巻解き可能に連結されている。
【００４２】
ストッパ１２ａ及び１２ｂは、それぞれ、対応する回転軸１０ａ及び１０ｂの巻解き方向の回転を許容する状態と規制する状態とに切替可能である。
【００４３】
ブレーキ１１ａ及び１１ｂは、それぞれ、調光コード４及び昇降コード７の巻解速度（調光ドラム９ａ及び昇降ドラム９ｂの回転速度）を減速することで、第１スクリーン２の下降時における中間バー３による衝撃力、及び、第２スクリーン５の下降時におけるボトムレール６による衝撃力を緩和する。
【００４４】
その他、ヘッドボックス１には、調光ドラム９ａの回転軸１０ａと昇降ドラム９ｂの回転軸１０ｂとを独立的に回転させる単独状態と連動して回転させる連動状態とに切り替える連動機構も設けられている。
【００４５】
操作ユニット１３は、無端状の操作コード１４（例えばボールチェーン）、当該操作コード１４が巻き掛けられるプーリ１５、その他、プーリ１５と一体回転するように連結される操作軸等で構成されており、ユーザの操作コード１４に対する昇降操作に応じて上記第１スクリーン２及び第２スクリーン５を昇降させる。
【００４６】
上記操作コード１４のうち、正面から見て奥側のチェーンは、調光コード４（第１スクリーン２及び中間バー３）の昇降動作に用いられ、手前側のチェーンは、昇降コード７（第２スクリーン５及びボトムレール６）の昇降動作に用いられる。
【００４７】
中間バー３の長手方向の両端部は、組立時に上記第１スクリーン２の下端及び第２スクリーン５の上端を挿入可能とするために開口しており、当該開口には、レールキャップ３０が着脱可能に設けられている。同様に、ボトムレール６の長手方向の両端部の開口にも、第２スクリーン２の下端を挿入可能とするためにレールキャップ６０が着脱可能に設けられている。中間バー３の両端に設けられたレールキャップ３０は、調光コード４の下端と連結している。
【００４８】
図３及び図４に示すように、上記第１スクリーン２は、上記中間バー３の前後方向（Ｚ方向）における中心線よりも手前側にオフセットされた位置で上記中間バー３と連結されている。
【００４９】
これに対して、図３に示すように、上記第２スクリーン５は、上記ボトムレール６の前後方向（Ｚ方向）における中心線に対応する位置で上記ボトムレール６と連結されている。
【００５０】
また図４に示すように、第１スクリーン２の前後方向（Ｚ方向）における第１スクリーン２の中心線Ｃ１と、第２スクリーン５の前後方向（Ｚ方向）における第２スクリーンの中心線Ｃ２は一致していない。
【００５１】
これにより、第１スクリーン２の突出部２１に形成された第１挿通孔２５を、中間バー３の前後方向のほぼ中心位置における鉛直線上に設けることが可能となり、第１挿通孔２５と第２挿通孔５５とを鉛直方向において一直線上に配置することが可能となる。
【００５２】
［ブラインドの動作］
次に、以上のように構成されたブラインド１００の動作について説明する。
【００５３】
図５は、上記ブラインド１００の第１スクリーン２を展開し第２スクリーン５を畳み込んだ状態を示した正面図である。図６は、上記ブラインド１００の第１スクリーン２を畳み込み第２スクリーン５を展開した状態を示した正面図である。また図７は、上記ブラインド１００の第１スクリーン２のみを展開した状態（同図Ａ）、第２スクリーン５のみを展開した状態（同図Ｂ）、両スクリーンを畳み込んだ状態（同図Ｃ）をそれぞれ示した右側面図である。
【００５４】
図１及び図２に示す状態から第１スクリーン２を展開して第２スクリーン５を畳み込む場合、操作コード１４を操作して回転軸１０ａを調光コード４巻取方向に所定量回転させ、ストッパ１２ａを解除する。これにより、回転軸１０ａはストッパ１２ａの拘束から解除されて回転が自由になり、中間バー３の自重によって調光ドラム９ａが調光コード４を巻解き、調光コード４の他端とともに中間バー３が下降していく。よって、第２スクリーン５が上方から下方に向かって順次畳み込まれていく。
【００５５】
そして、図５及び図７Ａに示したように、第２スクリーン５を完全に畳み込むと、第１スクリーン２のみが展開した状態になる。この後、操作コード１４の操作を終了すると、自重降下した中間バー３がボトムレール６上に載置された状態となり、第１スクリーン２のみが展開した状態が保持される。
【００５６】
一方、第１スクリーン２を畳み込む場合、操作コード１４を操作して回転軸１０ａを調光コード４巻取方向に所定量以上連続して回転させる。これにより、調光ドラム９ａが調光コード４を巻取り、調光コード４の他端とともに中間バー３が上昇していく。よって、第１スクリーン２が下方から上方に向かって順次畳み込まれていく。
【００５７】
そして、図６及び図７Ｂに示したように、第１スクリーン２を完全に畳み込むと、第２スクリーン５のみが展開した状態になる。この後、操作コード１４の操作を終了すると、ストッパによって回転軸１０ａの回転が拘束され、第２スクリーン５のみが展開した状態が保持される。
【００５８】
次に、第１スクリーン２及び第２スクリーン５の両方を畳み込む場合について説明する。第１スクリーン２及び第２スクリーン５の両方が展開されている状態では、調光コード４が緊張状態にあるため、上記連動機構は単独状態となっている。
【００５９】
そこで、まず、操作コード１４を操作して回転軸１０ｂのみを昇降コード７巻取方向に所定量以上連続して回転させると、回転軸１０ｂが回転して昇降ドラム９ｂが昇降コード７を巻取り、第２スクリーン５を畳み込む。
【００６０】
その後、引き続き操作コード１４を操作して、昇降ドラム９ｂに昇降コード７を巻き取らせる。これにより、完全に畳み込まれた第２スクリーン５が中間バー３に当接し、ボトムレール６が中間バー３を押し上げる。
【００６１】
このため、調光コード４に中間バー３の自重がかからないために弛み、上記連動機構が連動状態になる。よって、回転軸１０ａ及び回転軸１０ｂが一体に回転して、昇降ドラム９ｂが昇降コード７を巻取り、調光ドラム９ａが調光コード４を巻取っていく。
【００６２】
これにより、ボトムレール６と中間バー３が一体に上昇し、第１スクリーン２が下方から上方に向かって順次畳み込まれていく。よって、図７Ｃに示したように、第１スクリーン２も完全に畳み込まれる。
【００６３】
この後、操作コード１４の操作を終了すると、回転軸１０ａ及び１０ｂの回転がストッパ１２ａ及び１２ｂによってそれぞれ拘束される。よって、第１スクリーン２及び第２スクリーン５の畳み込まれた状態が維持される。
【００６４】
第１スクリーン２及び第２スクリーン５を展開する場合、操作コード１４を操作して、ストッパ１２ｂを解除する。これにより、ボトムレール６及び第２スクリーン５、中間バー３及び第１スクリーン２が自重によりそれぞれ下降し、第１スクリーン２及び第２スクリーン５が展開する。
【００６５】
このような昇降動作の際、上記第１挿通孔２５と上記第２挿通孔５５とが、昇降方向（Ｙ方向）において同一直線上に配置されていることで、昇降コード７を一直線状に垂下させることができ、当該昇降コード７への負荷を軽減して操作荷重を軽減し耐久性を高めることができる。
【００６６】
［まとめ］
以上説明したように、本実施形態によれば、ブラインド１００は、第１スクリーン２を挿通する昇降コード４及び第１挿通孔２５をスクリーン表面側に露出させないことで意匠性を向上させ光漏れを防止しながらも、第１挿通孔２５及び第２挿通孔５５を鉛直方向で同一直線上に形成して昇降コード４を一直線状に垂下させることで、第１スクリーン２下端の中間バー３及び第２スクリーン５下端のボトムレール６をそれらの短手方向において容易に水平状態に保つことができる。また、昇降コード４は、第１スクリーン２の突出部２１の第１挿通孔２５と、第２スクリーン５の各セルの第２挿通孔５５とを一直線状に挿通することで、第１スクリーン２のプリーツの開き量（Ｙ方向のプリーツピッチ）と第２スクリーン５のセルの開き量（Ｙ方向のセルピッチ）をほぼ一致させることが可能となり、意匠性を向上することができる。
【００６７】
［変形例］
本発明は上述の実施形態にのみ限定されるものではなく、本技術の要旨を逸脱しない範囲内において種々変更され得る。
【００６８】
上述の実施形態では、第１スクリーン２は、中間バー３の前後方向（Ｚ方向）における中心線よりも手前側にオフセットされた位置で上記中間バー３と連結され、第１スクリーン２と第２スクリーン５の各前後方向（Ｚ方向）における中心線は一致していなかった。しかし、第１スクリーン２は、中間バー３の前後方向の中心線上にその中心を有していてもよい。図８は、このような形態に係るブラインド１００の中間バー３付近の拡大右側断面図である。
【００６９】
同図に示すように、この形態における第１スクリーン２の畳み込み時前後方向（Ｚ方向）長さは、上記実施形態に比べて長く（例えば４５ｍｍ）に設計されており、その分、背面側のプリーツの接合によって形成される突出部２１の幅（Ｚ方向の長さ）が大きくなっている。
【００７０】
そして、第１挿通孔２５は、第１スクリーン２を畳み込んだ場合において第１スクリーン２の前後方向（Ｚ方向）の中心位置に形成されている。
【００７１】
一方、第２スクリーン５は上記の実施形態と同様であり、これにより、第１スクリーン２の前後方向（Ｚ方向）における中心線Ｃ１と、第２スクリーン５の前後方向（Ｚ方向）における中心線Ｃ２は一致している。
【００７２】
これにより、第１スクリーン２及び中間バー３ともにそれらの重心が前後方向（Ｚ方向）の中心で一致することとなり、中間バー３の前後方向への傾きが抑制される。
【００７３】
上述の各実施形態では、ブラインド１００は、中間バー３によって第１スクリーン２と第２スクリーン５とに隔てられていたが、中間バー３が設けられず、単一のプリーツスクリーンのみが設けられるブラインドにおいても本発明は適用可能である。図９は、そのようなブラインド１００を示した右側断面図である。
【００７４】
同図におけるブラインド１００は、ヘッドボックス１と、巻取ドラム９と、プリーツスクリーン２とを有する。プリーツスクリーン２は、一端が上記巻取ドラム９に連結され他端がボトムレール６に連結された昇降コード７によって、昇降可能に支持される。
【００７５】
上記プリーツスクリーン２は、背面側の各プリーツの頂点部２ａに、挿通孔２５が形成された突出部２１を有する。昇降コード７は、プリーツスクリーン２の前後方向（Ｚ方向）において、上記巻取ドラム９の略中心位置Ｃの直下から垂下され、上記挿通孔２５を挿通する。
【００７６】
このように、単一のプリーツスクリーン２を有する構成においても、意匠性を向上させ光漏れを防止しながらも、スクリーン下端のボトムレール６をその短手方向（Ｚ方向）において容易に水平状態に保つことができる。
【００７７】
このような単一のプリーツスクリーン２においても、上記図８に示したように突出部２１の幅を変更可能である。
【００７８】
また上述の実施形態において、突出部２１は、プリーツの頂点部２ａから所定長分の山部を重ねて溶着等により接合したものであったが、溶着以外の方法で接合されたものであってもよいし、プリーツとは別に、上記頂点部２ａに平板上の突出片を別途接合したものであってもよい。
【００７９】
［第１／第２スクリーンの組合せに関する変形例］
上述の実施形態では、第１スクリーン２がプリーツスクリーンとされ、第２スクリーンがハニカムスクリーンとされたが、第１スクリーン２及び第２スクリーン５として用いられる各スクリーンの組合せはこれに限られない。
【００８０】
図１０乃至図１３に当該組合せの変形例を示す。図１０乃至図１３はそれぞれ、変形例に係るブラインド１００の中間バー３付近の拡大右側断面図である。
【００８１】
なお当該組合せにおいて、第１スクリーン２及び第２スクリーン５はいずれも畳み込み可能なスクリーンであって、第１スクリーン２は、中間バー３に連結された調光コード４が連結されることで昇降可能に支持され、第２スクリーン５は、ボトムレール６に連結された昇降コード７が中間バー３を介して挿通されることで第１スクリーン２と連結され昇降可能に支持される。この場合、昇降コード７は、第１スクリーン２を挿通してから中間バー３を挿通してもよいし、第１スクリーン２を挿通せず、例えば第１スクリーン２の前後方向（Ｚ方向）の後ろ側を垂下して中間バー３を挿通してもよい。
【００８２】
そして、上記第１スクリーン２及び第２スクリーン５のうち、少なくとも一方のスクリーンは、背面側の各プリーツの頂点部２ａに形成された突出部２１を挿通する挿通孔２５を有する。当該挿通孔２５が形成されるスクリーンは、中間バー３又はボトムレール６の前後方向（Ｚ方向）における中心線よりも手前にオフセットされた位置で中間バー３又はボトムレール６と連結されている。上記調光コード４及び昇降コード７は、中間バー３及びボトムレール６の前後方向における中心線近傍に配される。
【００８３】
また、上記挿通孔２５が形成されるスクリーンの畳み込まれたプリーツのＺ方向における手前側の頂点部２ａと、中間バー３又はボトムレール６のＺ方向における手前側の端部の位置は、ほぼ一致してもよい。
【００８４】
図１０は、第１スクリーン２と第２スクリーン５の双方に、上述の実施形態に係る突出部２１を挿通する挿通孔２５を有するプリーツスクリーンが採用された例を示す。
【００８５】
ここで、第１スクリーン２の生地は、例えば光を透過可能なシースルー素材等で形成されている。一方、第２スクリーン５の生地は、例えば光を透過しない遮光性が高い素材等で形成されている。
【００８６】
この例では、第１スクリーン２及び第２スクリーン５の双方が、中間バー３及びボトムレール６の前後方向の中心線よりも手前にオフセットされ（第１スクリーン止めプレート１７及び第２スクリーン止めプレート１８のそれぞれＺ方向手前側で中間バー３と接続され）、調光コード４及び昇降コード７は、上記中心線近傍に配されている。
【００８７】
図１１は、第１スクリーン２として、突出部２１を有さず中心に挿通孔１１１を有する従来と同様のプリーツスクリーンが採用され、第２スクリーン５として、上記突出部２１及び挿通孔２５を有するプリーツスクリーンが採用された例を示す。
【００８８】
この例では、上記第１スクリーン２としての従来のプリーツスクリーンが用いられ、それが中間バー３の前後方向の中心付近で接続されることから、中間バー３の上部の形状及び第１スクリーン止めプレート１７の形状がそれに合わせて変更されている。
【００８９】
図１２は、第１スクリーン２として、上述の実施形態で第２スクリーン５として採用されたのと同様のハニカムスクリーンが採用され、第２スクリーン５として、上記突出部２１及び挿通孔２５を有するプリーツスクリーンが採用された例を示す。すなわちこの例は、上述の実施形態で示した第１スクリーン２と第２スクリーン５を入れ替えた構成である。
【００９０】
図１３は、第１スクリーン２として、上記突出部２１及び挿通孔２５を有するプリーツスクリーンが採用され、第２スクリーン５として、上記突出部２１及び挿通孔２５を有する２つのプリーツスクリーンが、前後方向で対称となるように、それぞれの突出部２１及び挿通孔２５同士を重ねることで組み合わされたものが採用されている。この第２スクリーン５の構造のため、第２スクリーン止めプレート１８も、２つのプリーツスクリーンを接続可能な形状に変更されている。
【００９１】
これら４つの変形例に示すように、第１スクリーン２と第２スクリーン５の少なくとも一方を前後方向の中心線よりも手前にオフセットされた位置に設けながらも、調光コード４及び昇降コード７を中間バー３及びボトムレール６の中心線近傍に配すことで、当該中間バー３及びボトムレール６を前後方向（Ｚ方向）において水平を保つことができ、上下に配置するスクリーンを自由に組み合わせることができる。
【００９２】
［その他の変形例］
上述の実施形態では、昇降コード７は、並列する２つの巻取ドラム（調光ドラムと９ａと昇降ドラム９ｂ）のＺ方向における略中間位置の直下から垂下され、上記突出部２１の第１挿通孔２５を挿通していた。しかし、昇降コード７は、上記２つの巻取ドラムの中間位置よりも前後方向（Ｚ方向）のやや後ろ側から垂下され、当該垂下方向に挿通孔２５が位置するように、突出部２１が上述の実施形態よりもやや後ろ側に配置されてもよい。この場合、プリーツの前後方向（Ｚ方向）の前側の頂点部２ａの位置は上述の実施形態と変更されないことで、上述の実施形態よりもプリーツの前後方向（Ｚ方向）の幅が大きくなる。すなわち、スクリーンを展開したときの各プリーツのピッチが大きくなり、プリーツの数が少なくなって、スクリーンを畳み込んだときの畳み代を小さくできる。
【００９３】
さらに、上述の実施形態及び変形例において、スクリーンの昇降に巻取ドラムを使用せずコードを使用する、いわゆるコード式の昇降方式が上記ブラインド１００に採用されても構わない。
【符号の説明】
【００９４】
１………ヘッドボックス
２………第１スクリーン
３………中間バー
４………調光コード
５………第２スクリーン
６………ボトムレール
７………昇降コード
９………巻取ドラム
９ａ……調光ドラム
９ｂ……昇降ドラム
２１……突出部
２５……挿通孔（第１挿通孔）
５５……第２挿通孔
１００…ブラインド
Ｃ１……第１スクリーンの中心線
Ｃ２……第２スクリーンの中心線
【図１】
2020023874.tif 000003
【図２】
2020023874.tif 000004
【図３】
2020023874.tif 000005
【図４】
2020023874.tif 000006
【図５】
2020023874.tif 000007
【図６】
2020023874.tif 000008
【図７】
2020023874.tif 000009
【図８】
2020023874.tif 000010
【図９】
2020023874.tif 000011
【図１０】
2020023874.tif 000012
【図１１】
2020023874.tif 000013
【図１２】
2020023874.tif 000014
【図１３】
2020023874.tif 000015